(57)【特許請求の範囲】
【請求項１】
スピンドルにより開閉作動する弁体部とバックプレートで保護されたダイヤフラムとを備えたダイヤフラムバルブであって、バックプレートがスピンドルを中心とする円線に沿って分割され、これ等各分割体が互いに接した状態で弁体部に追従して当該弁体部の開時位置・閉時位置においてダイヤフラムの全面に亘って支え保護することを特徴とするダイヤフラムバルブ。
【発明の詳細な説明】
【０００１】
【発明の属する技術分野】
本発明は、ダイヤフラムを保護するバックプレートの構成に改良を施したダイヤフラムバルブに関するものである。
【０００２】
【従来の技術】
従来、この種のダイヤフラムバルブとして、例えば図５〜図８に示すような、ダイヤフラムを保護するバックプレートが径の小さい一つのもので構成された形式は知られている。尚、図５〜図８中の各符号は、後述する本発明の実施例と同じ部位を示しているものである。
【０００３】
【発明が解決しようとする課題】
しかしながら、上記従来の技術で述べたダイヤフラムバルブは、閉鎖状態の場合においてダイヤフラム７は、図５〜図８からも明らかなように、バックプレート５の支え機能を受ける部分（面積）が狭く、補強機能が充分ではなく、流路の内圧が大きい場合にはダイヤフラム７の破壊が起き易いという問題点があった。
【０００４】
本発明は、上記の問題点を解消する工夫を施した新規のダイヤフラムバルブを提供することを目的とするものである。
【０００５】
【課題を解決するための手段】
上記目的を達成するために本発明に係るダイヤフラムバルブは、スピンドルにより開閉作動する弁体部とバックプレートで保護されたダイヤフラムとを備えたダイヤフラムバルブであって、バックプレートがスピンドルを中心とする円線に沿って分割され、これ等各分割体が互いに接した状態で弁体部に追従して当該弁体部の開時位置・閉時位置においてダイヤフラムの全面に亘って支え保護するようにしたものである。
【０００６】
【実施例】
以下、本発明の実施例について図面に依拠して説明する。
【０００７】
図１は、第１実施例に関するものであって、ダイヤフラムバルブの要部を開状態で示す縦断面図、図２は同じく閉状態で示す縦断面図である。
【０００８】
図３は、第２実施例に関するものであって、ダイヤフラムバルブの要部を開状態で示す縦断面図、図４は同じく閉状態で示す縦断面図である。
【０００９】
上記図１〜図４において、符号１はダイヤフラムバルブの弁筐であって、入口流路２と出口流路３を有し、これ等両流路１，２の中間に着座面４を有している。５ａ、５ｂは詳しく後述する分割構造のバックプレート（保護部品）であって、中心部がスピンドル６の下端部に固定されている。７はゴム、樹脂もしくは薄い金属等の変形可能な素材で構成したダイヤフラムであって、外周縁８が弁筐１のフランジ部９で挟止され中央部分１０がバックプレート５ａ、５ｂに固定されているものである。尚、図中符号１１は弁体である。
【００１０】
次いで、上記のバックプレート５ａ、５ｂの構成を詳しく説明する。
【００１１】
前者のバックプレート５ａは、外周体１２と当該外周体１２の内径孔１４内に上下摺動自在に嵌入された内周体１３とからなるものであり、そして、外周体１２は、その外周が弁筐１の内周面に接した状態もしくは近接した状態で同内周面に設けられた段部１５とダイヤフラム７の外周部間で上下動可能とされている。また、内周体１３はその外周面の上端縁にフランジ状係合縁１６を設けて当該係合縁１６と外周体１２の内径孔１４の切縁との係合により外周体１２を押し下げるようにされている。更に内周体１３の中心部はスピンドル６の下端部に固定され且つ同中心部の下面にはダイヤフラム７の中心部が止着されているものである。
【００１２】
また、後者のバックプレート５ｂは、外周体１２と当該外周体１２の内径孔１４内に上下摺動自在に嵌入された順次径が小さくなる多数個の内周体１３ａ〜１３ｎとからなるものであり、そして、外周体１２は、その外周が弁筐１の内周面に接した状態もしくは近接した状態で同内周面に設けられた段部１５とダイヤフラム７の外周寄り部間で上下動可能とされている。また、各内周体１３はその外周が次に大きい径の内周体と次に小さい内周体の内周面に接した状態で同内周面に設けられた段部１５ａ〜１５ｎとダイヤフラム７の上面間で上下動可能とされ且つその外周面の上端縁にフランジ状係合縁１６ａ〜１６ｎを設けて当該係合縁１６ａ〜１６ｎにより順次押し下げるようにされている。更に、内周体１３ｎの中心部はスピンドル６の下端部に固定され且つ同中心部の下面にはダイヤフラム７の中心部が止着されているものである。
【００１３】
すなわち、上記の第１実施例に係るダイヤフラムバルブは、流路２，３を閉鎖の状態とする場合には、スピンドル６の下降動作でバックプレート５ａ、５ｂの中央部分１０を押し下げて当該部分１０を着座面４の着座面に圧接させればよく、また流路２，３を開放の連通状態とする場合には、スピンドル６の上昇動作でバックプレート５ａ、５ｂの中央部分１０を引き上げて当該部分１０を着座面から離れさせればよい。
【００１４】
【作用】
上記の閉鎖状態の場合においてダイヤフラム７は、図１および図３からも明らかなように、バックプレート５ａの支え機能を全面に亘って受けることができる。
【００１５】
また、上記の開放状態の場合においてダイヤフラム７は、図２および図４からも明らかなように、バックプレート５ａ、５ｂの支え機能を受ける部分（面積）を上記従来例に比べて顕著に多く（広く）することができる。
【００１６】
このように顕著に増大されたバックプレート５ａ、５ｂによる支え機能によれば、開閉作動に伴って繰り返し起きるダイヤフラムの変形量を少なくすること、弁筐の内圧によるダイヤフラム７の破壊を起こしにくくすることできるものである。
【００１７】
【発明の効果】
本発明に係るダイヤフラムバルブは、上記したように、開閉作動に伴って繰り返し起きるダイヤフラムの変形量を少なくすること、弁筐の内圧によるダイヤフラムの破壊を起こしにくくすることできるものであって、所期の目的を完全に達成できる著効を奏するものである。
【図面の簡単な説明】
【図１】第１実施例に関するものであって、ダイヤフラムバルブの要部を閉状態で示す縦断面図である。
【図２】同じく開状態で示す縦断面図である。
【図３】第２実施例に関するものであって、ダイヤフラムバルブの要部を閉状態で示す縦断面図である。
【図４】同じく開状態で示す縦断面図である。
【図５】第１従来例に関するものであって、ダイヤフラムバルブの要部を閉状態で示す縦断面図である。
【図６】同じく開状態で示す縦断面図である。
【図７】第２従来例に関するものであって、ダイヤフラムバルブの要部を閉状態で示す縦断面図である。
【図８】同じく開状態で示す縦断面図である。
【符号の説明】
１ 弁筐
２ 入口流路
３ 出口流路
４ 着座面
５、５ａ、５ｂ バックプレート
６ スピンドル
７ ダイヤフラム
８ 外周縁
９ フランジ部
１０ 中央部分
１１ 弁体
１２ 外周体
１３、１３ａ〜１３ｎ 内周体
１４ 内径孔
１５、１５ａ〜１５ｎ 段部
１６、１６ａ〜１６ｎ 係合縁
【図１】
0003887205.tif 000002
【図２】
0003887205.tif 000003
【図３】
0003887205.tif 000004
【図４】
0003887205.tif 000005
【図５】
0003887205.tif 000006
【図６】
0003887205.tif 000007
【図７】
0003887205.tif 000008
【図８】
0003887205.tif 000009